(57)【特許請求の範囲】
【請求項１】
小魚、虫、甲殻類等の生き餌形状に成型された軟質合成樹脂からなるほぼ中実の本体を備えるルアーであって、
前記本体に対して、釣り糸と釣り針を各々連結しうる連結部と、
水中において前記本体の姿勢を安定させるための錘と、
前記本体に浮力性を持たせるための軟質発泡剤と、を前記本体の内部に備え、
前記本体は、前記ルアーが任意の浮力となるように、前記軟質発泡剤を任意の大きさ又は長さに調整可能に構成されており、
前記本体は、前記本体の表面に形成された開口を有し、前記軟質発泡剤を前記開口から前記本体の内部に挿入可能に構成されていることを特徴とするルアー。
【請求項２】
前記本体は、任意の大きさ又は長さに調整された前記軟質発泡剤を前記開口から前記本体の内部に挿入可能に構成されていることを特徴とする請求項１に記載のルアー。
【請求項３】
前記本体は、前記本体の表面に形成された開口から前記本体の内部に延びる空洞を有し、前記軟質発泡剤は前記空洞に挿入されていることを特徴とする請求項１又は２に記載のルアー。
【請求項４】
前記錘は、前記本体において前記釣り糸が接続された前部をやや下にした姿勢で水中で安定する位置に設けられており、
前記軟質発泡剤は、前記本体において前記錘よりも上側に設けられていることを特徴とする請求項１から３のいずれかに記載のルアー。
【請求項５】
前記釣り針を保持するための前記本体よりも強度の大きい硬質樹脂からなる釣り針保持手段を前記本体の内部に更に備え、
前記釣り針保持手段は、
前記釣り針を挿入するためのスリットと、
前記スリットよりも挿入方向奥側に設けられ、前記釣り針が配置されるＬ字形状の空洞と、を有することを特徴とする請求項１から４のいずれかに記載のルアー。
【請求項６】
前記釣り針を保持するための前記本体よりも強度の大きい硬質樹脂からなる釣り針保持手段を前記本体の内部に更に備え、
前記本体は、その内部に、前記連結部と、前記錘と、前記軟質発泡剤と、前記釣り針保持手段とを固定するために成型された前記軟質合成樹脂よりも強度の大きい内芯部を有し、
前記空洞は、前記内芯部に形成されていることを特徴とする請求項３に記載のルアー。
【請求項７】
前記生き餌形状が小魚形状であって、その小魚形状が胴、胴に対して複数の異なる角度で構成された尾鰭を有し、
前記尾鰭の下端部は、前記小魚形状の頭部側へ傾斜した形状に形成されていることを特徴とする請求項１から６のいずれかに記載のルアー。
【請求項８】
小魚、虫、甲殻類等の生き餌形状に成型された軟質合成樹脂からなるほぼ中実の本体を備えるルアーであって、
前記本体に対して、釣り糸と釣り針を各々連結しうる連結部と、
前記本体の姿勢を安定させるための錘と、を前記本体の内部に備え、
前記本体は、前記本体の表面に形成された開口を有し、前記ルアーが任意の浮力となるように大きさ又は長さが調整された軟質発泡剤を前記開口から前記本体の内部に挿入可能に構成されていることを特徴とするルアー。
【請求項９】
前記本体は、前記開口から前記本体の内部に延び、前記軟質発泡剤が挿入可能な空洞を有することを特徴とする請求項８に記載のルアー。
【発明の詳細な説明】
【技術分野】
【０００１】
本発明は、ルアーに属し、特にスイムベイトに好適に利用されるルアーに関するものである。
【背景技術】
【０００２】
図８は、現在発売されているスイムベイトと称するルアーの代表的な内部構造の一例を示した図である。図において、１０１は、軟質合成樹脂の本体、１０２は、釣り糸と釣り針を連結させるための連結手段、１０３は、釣り糸を連結するための連結部、１０４は、釣り糸を連結するための連結具、１０５は、釣り針を連結するための連結具、１０６は、釣り針を示す。上記釣り糸と釣り針を連結する手段１０２と、連結部１０３は、本体１０１の内部に埋め込まれる形で構成されている。本ルアーの使用方法として、連結具１０４に釣り糸を接続し、釣り人によって操作が行われ、水中を泳がすことで生物的な動きを発生させ、肉食魚を食いつかせることを目的としている。（特許文献１参照）
【先行技術文献】
【特許文献】
【０００３】
【特許文献１】特開２０0４−８１０１７号公報
【発明の概要】
【発明が解決しようとする課題】
【０００４】
図８で示したような従来の構成において、本体１０１の成型に用いられている軟質合成樹脂は、水に対して比重が重く、また、連結手段１０２と、連結部１０３が本体１０１に内蔵されていたり、連結具１０４と、連結具１０５と、釣り針１０６を取り付けている構成上、水に沈む性質を持ち、本ルアーを水面に浮かせたり、水中の任意の水深にとどまらせることは不可能であった。
また、本体１０１の成型に用いられている軟質合成樹脂は、その性質上、釣り針１０６を本体１０１に突き刺すことで、釣り針１０６を保持した場合、本体１０１に裂傷が生じることは避けられない。さらに、上記保持を繰り返した場合は、本体１０１の裂傷が大きくなるため、いずれ本体１０１に釣り針１０６が保持できなくなるという問題があった。
本発明の目的は、以上の課題を解決することにある。
【課題を解決するための手段】
【０００５】
本発明の請求項１に関わるルアーは、生き餌形状に成型された軟質合成樹脂から本体に対して、釣り糸と釣り針を各々連結しうる連結部と、本体の姿勢を安定させるための錘と、本体に浮力性を持たせるための軟質発泡剤とを、内蔵する構成としたものである。
本発明の請求項２に関わるルアーは、生き餌形状に成型された軟質合成樹脂から本体に対して、釣り糸と釣り針を各々連結しうる連結部と、本体の姿勢を安定させるための錘と、本体に浮力性を持たせるための軟質発泡剤と、釣り針を保持するための硬質樹脂製の釣り針保持手段とを、内蔵する構成としたものである。
本発明の請求項３に関わるルアーは、生き餌形状に成型された軟質合成樹脂から本体に、釣り糸と釣り針を各々連結しうる連結部と、本体の姿勢を安定させるための錘と、本体に浮力性を持たせるための軟質発泡剤と、釣り針を保持するための硬質樹脂からなる釣り針保持手段とを、固定するために成型された内芯部を、内蔵する構成としたものである。
本発明の請求項４に関わるルアーは、請求項１から３に関わるルアーにおける、生き餌形状に成型された軟質合成樹脂からなる本体に対して、前記生き餌形状が小魚形状であって、その小魚形状が胴、胴に対して、複数の異なる角度で構成された尾鰭からなる構成としたものである。
【発明の効果】
【０００６】
本発明は、以上説明したように構成されているので、以下に示すような効果を奏する。
請求項１の発明においては、本体に浮力性を持たせうる軟質発泡剤を備えた構成上、前記軟質発泡剤の太さや、長さを調整することで、自在に浮力を調整することが可能となり、従来のスイムベイトと称するルアーのように、水中で沈下することなく、水面に浮上させたり、水の比重と本体の比重を同じとすることで、水中における任意の層にとどまらせておいたり、沈下する速度を調整することができる。
請求項２の発明においては、本体に浮力性を持たせうる軟質発泡剤と、釣り針を保持するための硬質樹脂製の釣り針保持手段とを、備えているため、従来のスイムベイトのように、水中で沈下することなく、水面に浮上させたり、水中の任意の層にとどまらせておいたり、沈下する速度を調整することができる。さらに、硬質樹脂製の釣り針保持手段を用いて、釣り針を本体の所定の位置に保持することができる。
請求項３の発明においては、軟質合成樹脂からなる本体の内部に、釣り糸と釣り針を各々連結しうる連結部と、本体の姿勢を安定させるための錘と、本体に浮力性を持たせるための軟質発泡剤と、釣り針を保持するための硬質樹脂からなる釣り針保持手段とを、固定するために成型された内芯部を、備えているため、前記固定のための強度を得ることができる。
請求項４の発明においては、本体の胴に対して、複数の異なる角度で構成された尾鰭を、備えているため、水中において、本発明のルアーを安定して操作することができる。
【図面の簡単な説明】
【０００７】
【図１】本発明の実施の形態１における内部構造を示した図である。
【図２】本発明の実施の形態１を用いた水中の状態を示した図である。
【図３】本発明の実施の形態２における内部構造を示した図である。
【図４】本発明の実施の形態２における構成を示した図である。
【図５】本発明の実施の形態３における釣り針保持手段の構造を示した図である。
【図６】本発明の実施の形態４における構成を示した図である。
【図７】本発明の実施の形態４における尾鰭の形状を示した図である。
【図８】従来例を示した図である。
【発明を実施するための形態】
【０００８】
軟質合成樹脂からなる本体に対して、浮力性を持たせるための軟質発泡剤を、内蔵することで、本発明のルアーを水中に沈下させることなく、水面に浮上させたり、水中における任意の層にとどまらせたり、沈下する速度を調整することが実現できる。
以下、本発明を実施するための形態について、図面を参照しながら説明する。
【実施例】
【０００９】
（実施例１）
図１は、本発明の実施の形態１を示した図である。図１において、１は、小魚形状に成型された軟質合成樹脂からなるほぼ中実の本体、２は、釣り糸と釣り針を各々連結しうる連結部、３は、本体の姿勢を安定させるための錘、４は、本体に浮力性を持たせるための軟質発泡剤、５は、連結部３と釣り針を連結するための連結具、６は、釣り針を示す。ここで、連結部２と、錘３と、軟質発泡剤４は、本体１に内蔵されている構造となっている。ここで、図８を用いて、従来のスイムベイトと称するルアーの構造について説明すると、小魚形状に成型された軟質合成樹脂からなるほぼ中実の本体１０１に、例えば金属で成型された連結プレート１０２と、連結具１０３が内蔵されており、さらに、釣り糸を接続するための連結具１０４と、釣り針を連結するための連結具１０５、釣り針１０６を備えているため、水に対して十分に重い比重を有している。つまり、従来のスイムベイトは、ルアーフィッシングにおけるキャスティング動作の後、着水と同時に、沈下し始めることが避けられない。これは、従来のスイムベイトを、釣り人の釣り糸を引く動作によって、任意の水深で泳がせ続けることは、可能であるが、例えば、前記スイムベイトを泳がせる動作を中断すると同時に、また沈下し始めるため、前記スイムベイトを水面に浮上させたり、水中における一定の層にとどまらせておくことは不可能であった。次に、図１における、本体１に内蔵された軟質発泡剤の働きについて説明する。通常、小魚形状に成型された軟質合成樹脂からなるほぼ中実の本体１に、例えば金属ワイヤーで成型された連結部２と、例えば鉛等の金属で成型された錘３を内蔵すると、従来のスイムベイトと同様に、水に対して十分に重い比重を有することになるが、図１に示したように、浮力を発生させうる軟質発泡剤４を内蔵し、さらに、本体１と、連結部２と、例えば鉛等の金属で成型された錘３と、連結具５と、釣り針６からなる質量に対して、軟質発泡剤４の浮力が十分大きい場合は、本発明のルアーを泳がせる動作を中断すると同時に、水面に向かって浮上させることができる。また、本体１と、連結部２と、錘３と、連結具５と、釣り針６からなる質量に対して、軟質発泡剤４の浮力が、水の比重とほぼつり合うように調整した場合は、本発明のルアーを泳がせる動作を中断すると、前記動作を中断させた水中の位置に、とどまらせることができる。また、軟質発泡剤４の太さや長さを変えることで、浮力調節が可能となり、結果的に、沈下速度を自在に調整できることは明らかである。
図２は、本発明の実施の形態１を水中で操作した状態を示した図である。図２において、７は、水面、８は水底、９は、本発明をキャスティングし、着水した直後の状態、１０は、本発明をリールに巻くなどして、ある程度泳がせた状態、１１は、リールを巻く動作をやめるなどして、本発明を泳がせる動作を中断した状態、１２は、釣り糸を示す。上述した状態遷移について、順を追って説明すると、まず、水面７に着水した直後の状態９は、釣り糸１２が接続された前部をやや下にして安定する。これは、図１で説明したように、連結部２と、錘３が、本体１に内蔵されており、さらに連結具５と、釣り針６を備えているため、これらの重心位置を、前記前部をやや下にして安定した姿勢となるように調整することができる。ここで、前記前部をやや下にした姿勢で、リールを巻くなどして、釣り糸１２を引っ張る動作をすると、本体１の前部がリップの役目をし、一般的に市販されているルアーと同様に、水中に潜っていく動作を行なう。この時、従来のスイムベイトと称するルアーの構造では、リールを巻く動作を中断すると同時に、前記ルアーは水底８に向かって沈んでいくが、本発明のルアーは、本体１に、軟質発泡剤４を内蔵しているため、本体１の質量や、水の比重に対して、軟質発泡剤４の太さや長さを調整することで、本発明のルアーを、前記動作で潜った水深にとどまらせることができる。また、前記軟質発泡剤４の太さや長さを任意に調整することで、例えば、上述したように、ルアーを泳がせる動作を中断させた水中の位置に、とどまらせるように、軟質発泡剤４の浮力を調整した状態から、軟質発泡剤４の太さや長さを、浮力が増すように大きくすると、本発明のルアーを、至極ゆっくりと浮上させることができる。また、軟質発泡剤４の太さや長さを、浮力が減少するように小さくすると、本発明のルアーを、至極ゆっくりと沈下させることができる。ここで、軟質発泡剤４の大きさや、長さを特に限定するものではなく、ユーザーが使用する環境に応じて、軟質発泡剤４の大きさや、長さを調整することで、任意に浮力の調整を行なうことができる。
【００１０】
（実施例２）
図３は、本発明の実施の形態２を示した図である。図３において、１から６は、図１と同じである。１３は、本体１に対して、釣り針６を所定の位置に保持するための釣り針保持手段を示す。ここで、図８に示したような従来のスイムベイトと称するルアーの構成と比較すると、本体１０１の成型に用いられている軟質合成樹脂は、釣り針１０６を本体１０１に突き刺すことで、釣り針１０６を保持した場合、本体１０１に裂傷が生じることは避けられず、上記保持を繰り返した場合は、本体１０１の裂傷が大きくなるため、いずれ本体１０１に釣り針１０６が保持できなくなるという問題があった。しかしながら、図３で示したように、例えば、ハードシリコンのような、ある程度の強度を有する硬質樹脂からなる釣り針保持手段を、本体１に内蔵し、トレブルフックと称する釣り針の針先の内1本を、前記釣り針保持手段１３に挿入することで、釣り針６は、本体１に保持されることになる。そして、魚がルアーに食いついた時には、その衝撃により釣り針保持手段１３から釣り針６の針先がはずれ、魚がかかるようになっている。その他の構成は、実施の形態１と同様である。
図４は、針保持手段形状の一例を示した図で、図４において、１３は、釣り針保持手段、６は釣り針を示す。次に釣り針６を保持する方法について説明すると、釣り針保持手段１３の内部がL字形状の空洞となっており、釣り針保持手段１３の下部は、釣り針６を挿入するために、スリットが設けられている。前記スリットの隙間は、釣り針６をある程度の力で挟み込めるように、前記L字形状の空洞に対して、狭くすることで、釣り針６を安定して保持することが可能となる。ここで、例えば、釣り針保持手段１３を、ハードシリコンといった、ある程度の強度を有する合成樹脂で成型した場合、釣り針６の保持を繰り返しても、高い耐久性を得ることができ、本体の裂傷の課題を解決することができる。
【００１１】
（実施例３）
図５は、本発明の実施の形態３を示した図である。図５において、１は、小魚形状に成型された軟質合成樹脂からなるほぼ中実の本体、２は、釣り糸と釣り針を各々連結しうる連結部、３は、本体の姿勢を安定させるための錘、４は、本体に浮力性を持たせるための軟質発泡剤、５は、連結部３と釣り針を連結するための連結具、６は、釣り針、１３は、針保持手段、１４は、連結部２と、錘３と、軟質発泡剤４と、釣り針保持手段１３を固定するための内芯部を示す。ここで、内芯部１４について説明すると、内芯部を構成する素材に、本体１の成型に用いられる軟質合成樹脂の素材と比較して、硬く強度のある合成樹脂を用いることで、連結部２と、錘３と、軟質発泡剤４と、釣り針保持手段１３を固定する際に、内芯部１４からの剥離を防ぐことができる。また、素材として、ある程度の硬度と強度を有するため、製造工程において、内芯部１４を成型する際に、連結部２と、錘３と、軟質発泡剤４と、釣り針保持手段１３の位置を保持しやすい。従来のスイムベイトにおいては、連結部２と、錘３と同じようなものが内蔵されていたが、小魚形状に成型された軟質合成樹脂からなるほぼ中実の本体に使用されている素材が、柔らかく、釣りの動作を繰り返したり、魚が掛かった場合に、上記本体を構成する素材の柔らかさから、連結部や錘が飛び出したり、本体が裂ける原因となることが多かった。以上のことから、従来のスイムベイトにおいては、本体を構成する軟質合成樹脂を、ある程度の強度が得られる硬さを選ばざるを得ない。その結果、スイムベイトを水中で操作した場合に、本体の各箇所の動きが固く、特に尾鰭の動きがどうしても不自然な動きになるという課題があった。そこで、本発明の実施の形態３に示すルアーは、上記課題を解決するために、内芯部１４を本体１に内蔵し、内芯部１４を包み込むように、軟質合成樹脂をかぶせて、例えば、小魚形状に成型する。以上のように構成することで、内芯部１４に強度を持たせつつ、連結部２と、錘３と、軟質発泡剤４と、釣り針保持手段１３を固定する際に、内芯部１４からの剥離を防ぐことができ、さらに、本体１に軟質樹脂素材を用いて構成することが可能となる。軟質樹脂素材を用いた本体１は、特に本体１における尾鰭周辺の素材を柔らかくすることで、水中において、低速で動作させた時にも、尾鰭周辺が動きやすく、かつ、保管時にも、本体１に、歪んだ状態の型や、くせがつきにくいといった利点がある。ここで、内芯部１４は、連結部２と、錘３と、軟質発泡剤４と、釣り針保持手段１３の固定を目的としており、その形状を特に限定するものではない。さらに、内芯部１４を構成する合成樹脂に、色を施したり、ラメを混入させることにより、本体１の色と異なる色にすることが可能となり、透明感や、立体感のある仕上げを容易に施すことができる。
【００１２】
（実施例４）
図６は、本発明の実施の形態４を示した図である。図６において、１から６と、１３と１４は、図５と同じである。１５は、小魚形状を模した本体１における尾鰭、１６は、尾鰭１５の上端において、本体１の上方向に突出した水掻きを示す。従来のスイムベイトと称するルアーや、ワームに用いられている尾鰭形状は、シャッドテールと称し、本体の胴に対して、垂直方向に、かつ、下方向に突出した形状が広く用いられている。前記シャッドテールの水中における動きのメカニズムは、釣り糸を引くことによって、シャッドテールに水の抵抗が生じ、前記水の抵抗を左右に、連続して逃がすことで、前記シャッドテールが連続して左右に振られ、あたかも小魚の尾鰭のように動かすことができる。また、前記釣り糸を引く動作をある程度ゆっくりで、かつ、一定の速度で行うと、スイムベイトを安定した姿勢で泳がせることができる。しかしながら、釣り糸を引く動作を早めることで、スイムベイトを泳がせる速度が増すと、スイムベイトの本体が傾いたり、シャッドテールと称する尾鰭部分が水面に出てしまい、安定した泳ぎを維持することができない。また、従来のシャッドテール形状の場合、極端に釣り糸を引く動作を早めると、シャッドテールが受ける水の抵抗が増すことで、シャッドテールの下部分が持ち上がり、変形してしまうことで、前記水の抵抗がなくなり、シャッドテールのあたかも小魚の尾鰭のような動きが止まってしまうという問題があった。
図７は、図６で示したルアーにおける尾鰭の形状を詳細に示した図である。図７において、１５は、尾鰭、１６は、尾鰭１５の上端に、突出した水掻き、ａは、水掻き１６の角度、ｂは、尾鰭１５後端の角度、ｃは、尾鰭下端の角度を示す。水掻き１６は、図６に示したように、小魚形状を模した本体１における尾鰭１５の上端に、本体１の上方向に突出した鮫の背鰭のような形状で構成する。次に、上記水掻き１６の効果について説明する。通常、釣り糸を引く動作に基づいて、ルアーが泳ぎだす際に、生じる水流で、尾鰭１５の下端は、後方へ伸びるように形状が変化する。尾鰭１５を構成する素材が、極端に柔らかい場合、前記形状変化が著しく起こり、尾鰭１５が水を掴み、小魚の尾鰭のように動作することはない。上述したように、本体１や、尾鰭１５の素材をできるだけ柔らかくして、自然な動きを得られるようにしたい一方で、素材の欠損や、柔らかすぎることによる形状変化を避けたいという問題があった。そこで、尾鰭１５の上端に、水掻き１６を、本体１の上方向に突出した鮫の背鰭のような形状で構成することで、尾鰭１５下端で発生する左右の動きに対して、尾鰭１５の上端を支点に、前記尾鰭１５下端で発生する左右の動きを安定させるスタビライザーの役目を果たし、ルアー後方で乱れる水流を、後方に安定して流す効果が得られる。また、尾鰭１５の後方において、水掻き１６の角度ａ、尾鰭１５後端の角度ｂ、尾鰭下端の角度ｃと、各々異なる角度で構成する。まず、水掻き１６の角度ａは、尾鰭１５上端に生じる水流を安定して後方へ流すために、本体１に対してほぼ垂直に設定することで、上述したように、尾鰭１５上端を支点とすべく、剛性を確保することが望ましい。次に、尾鰭１５後端の角度ｂは、上述した左右の動きで発生する水流が、後方へ抜けやすいように、斜め後ろ方向に設定することで、尾鰭１５が、水流によって後方へ伸びるように形状が変化することを防ぐことができる。また、尾鰭下端の角度ｃは、スプーンの先端や、靴べらの先端のように、やや前方に傾斜させる角度に設定することで、いち早く、水を掴むことが可能となり、ルアーが泳ぎだす際に、尾鰭１５の動き出しを、従来のスイムベイトと比較して、飛躍的に早くすることができる。以上、説明したように尾鰭１５を構成すると、結果的に、釣り糸を引く動作をゆっくりとした場合や、早くした場合においても、ルアーの動作を常に自然で安定したものにすることができる。
【産業上の利用可能性】
【００１３】
本発明は、軟質合成樹脂で成型されているスイムベイトと称するルアーに関するものであり、浮力性を持たせるための軟質発泡剤を、内蔵することで、本発明のルアーを水中に沈下させることなく、水面に浮上させたり、水中における任意の層にとどまらせたり、沈下する速度を調整するといったように、ルアーフィッシングにおけるルアーの泳層をコントロールできるようにするものである。
【符号の説明】
【００１４】
１  本体
２  連結部
３  錘
４  軟質発泡剤
５  連結具
６  釣り針
７  水面
８  水底
９  着水した直後の状態
１０  ある程度泳がせた状態
１１  動作を中断した状態
１２  釣り糸
１３  釣り針保持手段
１４  内芯部
１５  尾鰭
１６  水掻き
ａ    水掻き１６の角度
ｂ    尾鰭１５後端の角度
ｃ    尾鰭下端の角度
【図１】
0006666658.tif 000002
【図２】
0006666658.tif 000003
【図３】
0006666658.tif 000004
【図４】
0006666658.tif 000005
【図５】
0006666658.tif 000006
【図６】
0006666658.tif 000007
【図７】
0006666658.tif 000008
【図８】
0006666658.tif 000009